(57)【要約】【課題】１回線の電話配線を備えた小規模ないし既存住宅で電話とパソコンなどの２台の機器を使用可能にする配線に関し、２個の機器を個別に任意の場所で使用できるようにする。【解決手段】４芯又は６芯の壁内配線５によってバス接続された複数の電話機用コンセントを回線ポート３とアナログポート２とを備えた情報コンセント１に交換ないし変更し、壁内配線５の２芯を使用して回線ポート３を屋外からの電話の引込線にバス接続し、壁内配線５の他の２芯を使用してアナログポート２相互をバス接続する。ｘＤＳＬを利用するときは、回線ポート３にスプリッター７を接続し、その低周波出力をアナログポート２に接続する。またＩＳＤＮを利用するときは、回線ポート３にＤＳＵルータ１３を接続し、そのアナログ出力ポートの１個をアナログポート２に接続する。【選択図】　　　図１
2004129332.tif 000002
【特許請求の範囲】
【請求項１】
回線ポート（３）とアナログポート（２）とを備えた複数の情報コンセント（１，１５）と、これらの情報コンセントの回線ポート（３）相互及びアナログポート（２）相互をそれぞれバス接続している壁内配線（５）とを備え、回線ポート（３）が上記壁内配線で電話の引込線に接続されている、住宅の情報配線。
【請求項２】
上記情報コンセントが、４端子を壁内配線（５）の４芯に接続した接続ポート（１６）を備えた固定コンセント（４）とこれに着脱される分岐コンセント（１５）とで形成され、分岐コンセント（１５）が、前記接続ポートに接続されるプラグ（１７）と、このプラグの対となる２端子にそれぞれ接続された回線ポート（３）及びアナログポート（２）とを備えている、請求項１記載の住宅の情報配線。
【請求項３】
前記複数の情報コンセント（１，１５）の一つの回線ポート（３）にスプリッター（７）が接続され、その低周波出力がアナログポート（２）に接続されている、請求項１又は２記載の住宅の情報配線。
【請求項４】
前記複数の情報コンセント（１，１５）の一つの回線ポート（３）にＤＳＵルータ（１３）が接続され、そのアナログ出力ポートの１個がアナログポート（２）に接続されている、請求項１又は２記載の住宅の情報配線。
【請求項５】
４芯又は６芯の壁内配線（５）によってバス接続された複数の電話機用コンセント（４）を備えた既存住宅の前記電話機用コンセントを回線ポート（３）とアナログポート（２）とを備えた情報コンセント（１）に交換し、前記壁内配線の２芯を使用してこれらの情報コンセントの回線ポート（３）を電話の引込線にバス接続すると共に、前記壁内配線の他の２芯を使用して前記複数の情報コンセントのアナログポート（２）相互をバス接続することを特徴とする、既存住宅の情報化工法。
【請求項６】
４芯又は６芯の壁内配線（５）によって、電話機に接続される第１の端子対相互及び宅内通信に用いられる第２の端子対相互をそれぞれバス接続した複数の電話機用コンセント（４）の内の１個の接続ポート（１６）に接続されるプラグ（１７）と、当該プラグの前記第１の端子対に接続される端子に接続された回線ポート（３）と、当該プラグの前記第２の端子対に接続される端子に接続されたアナログポート（２）とを備えた、住宅の情報配線用分岐コンセント。
【発明の詳細な説明】
【０００１】
【発明の属する技術分野】
この発明は、１回線の電話配線を備えた住宅において、電話とパソコンなどのディジタル情報機器又は複数の電話機を使用可能にする小規模住宅ないし既存住宅における情報通信用の配線に関するものである。
【０００２】
【従来の技術】
ほとんどの家庭に電話機が設置され、かつ部屋の仕様態様の変化によって電話の設置場所を変更することが往々にして行われるため、図６に示すように、電話器用の接続ポート１６を備えたコンセント４を屋内の複数箇所に設置して、これを壁内配線５で電話の引込線にバス接続した電話機用の先行配線を備えた住宅が多数存在している。このような先行配線を備えた住宅では、複数設けらている電話機用コンセント４のどれか１つに電話機を接続すれば、当該電話機をその場所で使用することができる。従って、電話機の設置場所をある部屋から他の部屋に変更したい場合に、その変更が容易に可能である。
【０００３】
このような電話用の先行配線を備えた住宅において、ｘＤＳＬ（ｘ　Ｄｉｇｉｔａｌ　Ｓｕｂｓｃｒｉｂｅｒ　Ｌｉｎｅ）などの新しい情報通信網を利用しようとする場合や、ＩＳＤＮに加入して２台の電話機を同時使用可能にしようとする場合には、電話会社とそれらのサービスの契約をして、既存の電話機用コンセントの１つにスプリッター７やＤＳＵルータを接続して、使用する電話機１２やパソコン６をこれらのスプリッター７やＤＳＵルータに接続する。
【０００４】
【発明が解決しようとする課題】
バス接続された電話機用コンセント４は、どれか１個のみしか使用することができない。そのため、その１個にスプリッター７やＤＳＵルータを接続すると、これに接続した２台の機器を同時に使用することはできるが、その内の１台を他の部屋で使用しようとするときは、スプリッター７やＤＳＵルータの設置場所から長い外部配線を設けてやらねばならず、途中に壁やドアがあると配線が困難である。
【０００５】
この発明は、上記問題を解決するためになされたもので、スプリッター（高周波フィルター、スプリッター内蔵ｘＤＳＬモデムなど、入力信号から低周波成分を分離して出力する装置を言う）やＤＳＵルータで信号ないし回線を分岐して２個の機器を使用するときに、それらの機器を個別に任意の場所で使用できるようにすることを課題としている。
【０００６】
【課題を解決するための手段】
この発明は、電話用の既存の壁内配線５に４芯又は６芯ワイヤが使用されていることが多いことに着目してなされたものである。電話機用の配線は、２芯を使用して行われるが、２芯ワイヤより４芯ないし６芯ワイヤの方が多く使用されていること、各コンセントの接続ポートの端子の一対を電話用に、他の一対をホームテレホンなどの宅内通信用に使用できるようにしているなどの事情により、電話機用の壁内配線５にも４芯又は６芯ワイヤを使用している場合が多いのである。
【０００７】
このような実情に着目して上記課題を解決した本願請求項１の住宅の情報配線は、回線ポート３とアナログポート２とを備えた複数の情報コンセント１と、これらの情報コンセントの回線ポート３相互及びアナログポート２相互をバス接続している壁内配線５とを備え、回線ポート３が上記壁内配線５で屋外からの電話の引込線に接続されているというものである。
【０００８】
上記請求項１の情報配線は、本願請求項５の工法、すなわち、４芯又は６芯の壁内配線５によってバス接続された複数の電話機用コンセント４を備えた既存住宅の当該電話機用コンセントを回線ポート３とアナログポート２とを備えた情報コンセント１に交換し、前記壁内配線５の２芯を使用してこれらの情報コンセントの回線ポート３を屋外からの電話の引込線にバス接続すると共に、前記壁内配線５の他の２芯を使用して前記複数の情報コンセントのアナログポート２相互をバス接続するという工法で実現できる。
【０００９】
既存の複数の電話機用コンセント４が、ホームテレホンなどを接続可能にするために、その接続ポート１６の２対の端子相互がそれぞれバス接続されているときは、既存の電話機用コンセント（固定コンセント）４に請求項６の分岐コンセント１５、すなわち、既存の電話機用コンセント４の接続ポート１６に接続されるプラグ１７と、当該プラグの電話回線用の第１の端子対に接続された回線ポート３と、当該プラグの宅内通信用の第２の端子対に接続されたアナログポート２とを備えた分岐コンセントを接続することで、請求項１の情報配線を実現できる。
【００１０】
この分岐コンセントを使用する情報配線では、請求項１の情報配線における情報コンセント１が、４端子を壁内配線５の４芯に接続した接続ポート１６を備えた固定コンセント４と、これに着脱される分岐コンセント１５とで形成されることとなる。当該分岐コンセント１５は、固定コンセントの接続ポート１６に接続されるプラグ１７と、このプラグの電話回線用の２端子に接続された回線ポート３と、当該プラグの宅内通信用の２端子に接続されたアナログポート２とを備えている。
【００１１】
ｘＤＳＬを利用するときは、上記情報配線の複数の情報コンセント１の一つの回線ポート３にスプリッター７を接続し、その低周波出力をアナログポート２に接続する。
【００１２】
またＩＳＤＮを利用するときは、上記情報配線の複数の情報コンセント１の一つの回線ポート３にＤＳＵルータ１３を接続し、そのアナログ出力ポートの１個をアナログポート２に接続する。
【００１３】
【発明の実施の形態】
以下、図１ないし図３を参照して、この発明の第１実施例を説明する。図１はｘＤＳＬ使用時の例を、図２はＩＳＤＮ使用時の例をそれぞれ示した図で、住宅に設置される配線及びコンセントは、図１の場合も図２の場合も同じである。図３は、この発明で使用する情報コンセントの一例を示した図である。
【００１４】
図３に示すように、各情報コンセント１には、電話機などを接続するアナログポート２と電話引込線に接続される回線ポート３との２個のポートが設けられている。これらのポートはいずれも一般にモジュラープラグと呼ばれているポートで、図の例では各ポートの近くに「ＡＮＬ」や「ＮＴＴ局線」と表示することによって両ポートを区別している。
【００１５】
通常、ポート数が１から３個程度のときは、コンセントの大きさ及びこれを取付けるために壁内に設置されている取付ボックスの大きさやコンセントの固定構造が同じなので、既存の１ポートのもの（図６参照）から２ポートのものへの交換は簡単にできる。
【００１６】
電話機を接続するために、屋内の複数箇所に設置されている図６の電話機用コンセント４を図３に示す情報コンセント１に交換する。そして、４芯又は６芯の既存の壁内配線５の内、保安器１４を介して電話の引込線に接続されている２芯で複数のコンセントの回線ポート３相互をバス接続する。そして、他の２芯でアナログポート２相互をバス接続する。このコンセント相互の接続形態は、図１の場合も図２の場合も同じである。
【００１７】
ｘＤＳＬを使用する図１の例においては、パソコン６を使用する部屋の情報コンセントの回線ポート３にスプリッター７の信号入力線８を接続し、その低周波（電話用）出力線９をアナログポート２に接続する。そして、スプリッター７の高周波用出力線１０をｘＤＳＬモデムないしｘＤＳＬモデム内蔵ルータ１１に接続し、当該モデムないしルータのＬＡＮポートにパソコン６を接続する。電話機１２は、パソコンの設置場所と同じ場所に設置するなら、スプリッター７に接続し、他の場所で使用するなら、その場所に近いコンセントのアナログポート２に接続する。従って、電話機１２は、情報コンセント１が設置されている場所のどこにでも自由に移動することができる。また、パソコン６を移動したいときは、モデムないしルータ１１及びスプリッター７と共に移動して、近くの情報コンセントの回線ポート３及びアナログポート２にスプリッター７を接続してやればよい。
【００１８】
ＩＳＤＮを使用するときは、図２に示すように、複数の情報コンセントの内の１個の回線ポート３にＤＳＵルータ１３の入力線８を接続し、そのアナログ出力線の１個９をアナログポート２に接続する。ＤＳＵルータ１３は、ディジタル及びアナログの出力口を複数備えているので、残りのアナログポートに電話機１２を接続し、又はディジタルポートにパソコン６を接続して使用することができる。そして、他の場所の情報コンセントのアナログポート２に電話機１２、その他のアナログ機器を接続して使用することができる。ＤＳＵルータ１３の設置場所を変えてやれば、パソコンなどのディジタル機器の使用場所を変更することができる。
【００１９】
図４及び図５は、この発明の第２実施例を示す図で、情報コンセント１を壁面に固定された既存の電話機用の固定コンセント４（図６のコンセント４と同じもの）と、これに接続する分岐コンセント１５とで形成した例である。図４はｘＤＳＬ使用時の例を、図５はＩＳＤＮ使用時の例をそれぞれ示す。壁内配線５及び固定コンセント４並びに分岐コンセント１５の構造は、図４の場合も図５の場合も同じである。
【００２０】
固定コンセント４の接続ポート１６は、４端子又は６端子のジャックで、その内の２端子（第１の対）が壁内配線５の２芯５ａを使用してバス接続され、当該２芯５ａが保安器１４を介して電話の引込線に接続されている。接続ポート１６の他の２端子（第２の対）相互は、壁内配線５の他の２芯５ｂでバス接続されている。
【００２１】
図４、５の実施例における以上の配線構造は既存の構造であって、電話機に接続したプラグを接続ポート１６に接続すると、電話回線用の２芯５ａが電話機に接続され、ホームテレホンなどの宅内通信用機器を接続したプラグを接続ポート１６に接続すると、壁内配線の他の２芯５ｂが当該宅内通信用機器に接続されるようになっている。
【００２２】
分岐コンセント１５は、固定コンセントの接続ポート４に接続されるプラグ１７と、回線ポート３及びアナログポート２とを備えている。回線ポート３は、プラグ１７を接続ポート１６に接続したときに、電話回線用の２芯５ａに接続される端子に接続されている。また、アナログポート２は、プラグ１７を接続ポート１６に接続したときに、宅内通信用の２芯５ｂに接続される端子に接続されている。このような分岐コンセント１５は、予め工場で製作した同一構造のものを使用することができる。配線工事上の約束事で接続ポート１６の電話回線で使用する２端子と宅内通信で使用する２端子とが予め決められているからである。
【００２３】
この第２実施例のものでは、既存の宅内情報配線の固定コンセント４に分岐コンセント１５を接続して、第１実施例の情報コンセント１と同じ機能を発揮させることができる。従って、ｘＤＳＬを使用する図４の例においては、パソコン６を使用する部屋の固定コンセントに分岐コンセント１５を接続し、その分岐コンセントの回線ポート３にスプリッター７の信号入力線８を接続し、その低周波出力線９を分岐コンセントのアナログポート２に接続する。スプリッター７の高周波用出力線１０をｘＤＳＬモデムないしｘＤＳＬモデム内蔵ルータ１１に接続し、当該モデムないしルータのＬＡＮポートにパソコン６を接続することは、図１の場合と同じである。電話機１２をパソコンの設置場所と異なる場所で使用するときは、その場所に近い固定コンセント４に分岐コンセント１５を接続し、その分岐コンセントのアナログポート２に電話機１２を接続する。
【００２４】
ＩＳＤＮを使用するときは、図５に示すように、複数の固定コンセント４の内の１個に分岐コンセント１５を接続し、その分岐コンセントの回線ポート３にＤＳＵルータ１３の入力線８を接続し、そのアナログ出力線の１個９を当該分岐コンセントのアナログポート２に接続する。電話機１２、その他のアナログ機器を他の場所で使用するときは、近くの固定コンセントに分岐コンセント１５を接続し、その分岐コンセントのアナログポート２に使用するアナログ機器を接続する。
【００２５】
【発明の効果】
以上の説明から理解されるように、この発明によれば、既存住宅で新たにｘＤＳＬを利用するときに、電話機用のコンセントが設置してある部屋であれば、どの部屋からでも電話がかけられ、どの部屋でもパソコンを繋げるようにでき、しかも電話機とパソコンとを個々に所望の場所に移動して使用することができる。また、ＩＳＤＮを利用して２回線を使用する場合でも、従来は２台の機器を近くの場所でしか使用できなかったが、この発明によれば、２回線のそれぞれを利用する２台の機器を別々の部屋で利用可能になる。そして、この発明の情報化工法によれば、新たな環境にするための既設配線の変更工事が非常に簡単で、壁を壊す必要がなく、工事費も安価であるという特徴がある。また宅内通信用の接続をしてある既存の電話機用配線であれば、この発明の分岐コンセントを接続するだけでこの発明の情報配線を実現できる。
【図面の簡単な説明】
【図１】第１実施例のｘＤＳＬ使用時の状態を示す配線図
【図２】第１実施例のＩＳＤＮ使用時の状態を示す配線図
【図３】情報コンセントの例を示す正面図
【図４】第２実施例のｘＤＳＬ使用時の状態を示す配線図
【図５】第２実施例のＩＳＤＮ使用時の状態を示す配線図
【図６】既存の宅内電話配線を示す配線図
【符号の説明】
１　情報コンセント
２　アナログポート
３　回線ポート
４　固定コンセント（電話機用コンセント）
５　壁内配線
１５　分岐コンセント
【図１】
2004129332.tif 000003
【図２】
2004129332.tif 000004
【図３】
2004129332.tif 000005
【図４】
2004129332.tif 000006
【図５】
2004129332.tif 000007
【図６】
2004129332.tif 000008